(57)【要約】【課題】穀物袋に穀物を充填する際、穀物袋が満杯となった場合、穀物の搬送流路を自動的に切り換えることができるようにする。【解決手段】シャッター１７の開口部１８と一方の排出流路１６ａとを連通させると、屑米ａはシャッター１７の開口部１８から排出流路１６ａ、調節排出管２０から穀物袋４０ａに充積される。ここで穀物袋４０ａが満杯となると、溢れた屑米ａがオーバーフロー流路２５から他方の排出流路１６ｂへ流れ、自動的に他方の穀物袋４０ｂに屑米ａが充填される。【選択図】図４
2010088400.tif 000002
【特許請求の範囲】
【請求項１】
排出口から供給される穀類の排出流路を切り換える排出流路切換装置であって、前記排出口から排出される穀類を受け入れる流入路と、この流入路から分岐する複数の排出流路と、この排出流路の何れか一の排出流路へと前記穀類を案内する流路切換手段と、この流路切換手段の下部に位置して前記各搬出流路が相互に連通するオーバーフロー流路とを備え、前記一方の排出流路内に前記穀類が滞留した際、溢れた穀類がオーバーフロー流路から他方の排出流路へと導入するように構成したことを特徴とする排出流路切換装置。
【請求項２】
前記排出口に前記流入路を構成する収容体を取り付け、この収容体の下部に前記排出流路を有する複数の分岐管を連設するとともに、この各分岐管の先端側に長さ調整可能な排出調節部材を設けたことを特徴とする請求項１記載の排出流路切換装置。
【請求項３】
前記排出調節部材を、その排出調節部材内に流通する穀類が目視可能な透明材料で形成したことを特徴とする請求項２記載の排出流路切換装置。
【請求項４】
前記流路切換手段を前記収容体に対して水平方向にスライド自在に取り付けたシャッターで構成し、このシャッターのスライド操作に連動して各排出流路の何れか１つに連通する開口部を設けたことを特徴とする請求項１〜３の何れか１項に記載の排出流路切換装置。
【請求項５】
前記シャッターを緩やかな逆Ｖ字状に屈曲し、そのほぼ変曲点を中心として前記開口部を形成し、前記開口部と何れか１つの排出流路とを連通させた際、シャッターの重心を傾けて、前記シャッターの前記開口部が何れか１つの排出流路へと向かう付勢力を付与したことを特徴とする請求項４記載の排出流路切換装置。
【請求項６】
前記流路切換手段を前記収容体に回動自在に軸支したシャッターで構成するとともに、前記収容体の外側に前記シャッターを操作するレバーを設けたことを特徴とする請求項１〜３の何れか１項に記載の排出流路切換装置。
【発明の詳細な説明】
【技術分野】
【０００１】
本発明は、米や麦等あるいは選別した穀粒を袋詰めする際に使用する排出流路切換装置に関する。
【背景技術】
【０００２】
従来、例えば、選別機などによって選別された穀物を袋詰めする際、袋詰め作業が１袋ごとに中断しないように、選別機の排出口に二股状に分かれた分岐管を設け、その分岐管の排出流路をシャッターなどの切換手段によって切り換えることによって、交互に袋詰めを行っている。このような袋詰め作業において、袋詰めする穀物が満杯となった際、穀物の排出流路を自動的に切り換える技術として例えば、特許文献１で示す穀物搬送路切換装置が開示されている。
【０００３】
【特許文献１】特開平１０−２９５１７２号公報
【発明の開示】
【発明が解決しようとする課題】
【０００４】
特許文献１で示す穀物搬送路切換装置は、穀物を搬送するための複数の穀物搬送路と、その穀物搬送路のいずれか１つに穀物を案内する流路案内手段（シャッター）を有する流路切換室と、この流路切換室内に設けられ、通常時は前記流路案内手段と共に前記穀物搬送路を閉鎖し、前記流路切換室内に穀物が滞留した際はそれまで閉鎖されていた穀物搬送路を開放して前記流路切換室内の穀物を前記開放した穀物搬送路側に導入する流路調整手段とを有しており、前記流路調整手段が前記流路案内手段の前段にそれぞれの穀物搬送路を開閉する金属製の調整板で構成され、この調整板を揺動自在に軸支し、通常時はその自重により前記穀物搬送路を閉鎖し、穀物滞留時は滞留した穀物に押されてそれまで閉鎖されていた前記穀物搬送路を開放することによって穀類の排出流路が切り換わるようにしている。
【０００５】
すなわち、前記穀物搬送路切換装置は、穀物滞留時に調整板が開閉するように流路切換室内に一対の調整板を揺動自在に軸支する必要があるから、組み付け部品点数が多く、組み付け作業も面倒である。さらに、選別機などから供給される穀類と、一方の穀物搬送路が滞留した際、溢れた穀物とが流路案内手段（シャッター）の上面を通って一方の穀物搬送路へと搬送される構造であるから、流路案内手段（シャッター）を切り換える際、流路案内手段（シャッター）に選別機などから供給される穀類と溢れた穀物の重量が加わった状態で流路案内手段（シャッター）を回転操作する必要があるため、流路案内手段（シャッター）をスムーズに切り換えることができず、操作性にやや劣る面があった。
【０００６】
本発明は上述した課題を解決するために為されたものであり、組み付け部品点数を削減して構造を簡略化できるとともに、操作性にも優れる排出流路切換装置を提供することを目的とする。
【課題を解決するための手段】
【０００７】
請求項１記載の排出流路切換装置は、排出口から供給される穀類の排出流路を切り換える排出流路切換装置であって、前記排出口から排出される穀類を受け入れる流入路と、この流入路から分岐する複数の排出流路と、この排出流路の何れか一の排出流路へと前記穀類を案内する流路切換手段と、この流路切換手段の下部に位置して前記各搬出流路が相互に連通するオーバーフロー流路とを備え、前記一方の排出流路内に前記穀類が滞留した際、溢れた穀類がオーバーフロー流路から他方の排出流路へと導入するように構成したことを特徴とする。
【０００８】
請求項２記載の排出流路切換装置は、前記排出口に前記流入路を構成する収容体を取り付け、この収容体の下部に前記排出流路を有する複数の分岐管を連設するとともに、この各分岐管の先端側に長さ調整可能な排出調節部材を設けたことを特徴とする。
【０００９】
請求項３記載の排出流路切換装置は、前記排出調節部材を、その排出調節部材内に流通する穀類が目視可能な透明材料で形成したことを特徴とする。
【００１０】
請求項４記載の排出流路切換装置は、前記流路切換手段を前記収容体に対して水平方向にスライド自在に取り付けたシャッターで構成し、このシャッターのスライド操作に連動して各排出流路の何れか１つに連通する開口部を設けたことを特徴とする。
【００１１】
請求項５記載の排出流路切換装置は、前記シャッターを緩やかな逆Ｖ字状に屈曲し、そのほぼ変曲点を中心として前記開口部を形成し、前記開口部と何れか１つの排出流路とを連通させた際、シャッターの重心を傾けて、前記シャッターの前記開口部が何れか１つの排出流路へと向かう付勢力を付与したことを特徴とする。
【００１２】
請求項６記載の排出流路切換装置は、前記流路切換手段を前記収容体に回動自在に軸支したシャッターで構成するとともに、前記収容体の外側に前記シャッターを操作するレバーを設けたことを特徴とする。
【発明の効果】
【００１３】
本発明の排出流路切換装置によれば、流路切換手段を操作して一方の排出流路から穀物袋に穀類を排出し、その穀物袋が満杯となると、一方の排出流路から溢れた穀類がオーバーフロー流路を通って他方の排出流路へと排出され、予備の穀物袋へと穀類を自動的に充填することができるから、流路切換手段によって排出流路を切り換えなくとも、自動的に予備の穀物袋に穀類を充填することができる。また、一方の穀物袋に充填した穀類が満杯となった際、溢れた穀類が流路切換手段の下部に形成したオーバーフロー流路を通って他方の穀物袋へと流れ、流路切換手段上には穀類が溢れることがないから、流路切換手段の切り換え操作も容易であるとともに、組み付け部品点も削減でき、組み付け作業性にも優れる。
【００１４】
また、穀物袋に充填される穀類の流れは透明な調節排出部材で確認できるため、一方の穀物袋に穀類が満杯になったことが簡単に確認することができ、流路切換手段を切り換えるタイミングも簡単かつ迅速に把握できるとともに、穀物袋に充填した穀類が満杯となる量は、調節排出部材の長さを一定にすれば一定量となるから、調節排出部材の長さ調整すれば穀物袋に充填する穀類の量を調整することができる。
【００１５】
さらに、流路切換手段となるシャッターを緩やかに逆Ｖ字状に屈曲することで、シャッターの開口部と何れか一つの排出流路とを連通させた際、シャッターの重心がシャッターの切換方向に傾いて切換方向に向かう付勢力が付与されるから、シャッターが振動などによって変動することなく、シャッターの開口部と何れか一つの排出流路とを確実に連通させることができる。
【発明を実施するための最良の形態】
【００１６】
以下、本発明の排出流路切換装置の一実施例について、添付図面を参照して説明する。
【実施例１】
【００１７】
図１〜図５は本発明の実施例１を示しており、切換装置１０は、例えば粒径や重量等によって穀粒を選別して、割れ米や小粒米を取り除いて粒を揃える選別機１から排出された屑米ａを袋詰めする際、２つの穀物袋４０ａ、４０ｂの何れかにに屑米ａを充積するために使用する。
【００１８】
切換装置１０は、図３、４に示すように、選別機１の排出口２に固定する収容部１１と、収容部１１の下部から二股状に分岐した一対の分岐管１５ａ，１５ｂと、その各分岐管１５ａ，１５ｂの何れかに屑米ａの搬送方向を切り換える流路切換手段としてのシャッター１７とから成る。
【００１９】
前記収容部１１内には選別機１の排出口２から落下した屑米ａを受け入れる流入路１２が形成され、この流入路１２と前記各分岐管１５ａ，１５ｂによって形成される排出流路１６ａ，１６ｂとが連通している。また、前記収容部１１には流入路１２と前記排出流路１６ａ，１６ｂとの間を仕切るように前記シャッター１７がスライド自在に組み付けられている。このシャッター１７は、収容部１１の側面に形成する案内孔１７ａに挿入され、案内孔１７ａに沿ってシャッター１７をスライドさせることによって、シャッター１７に設けた開口部１８と排出流路１６ａ又は排出流路１６ｂの何れか一方とを連通させ、屑米ａの搬送方向を切り換える。
【００２０】
前記シャッター１７は中央に変曲点Ｋを有して緩やかに逆Ｖ字状に屈曲しており、その変曲点Ｋを中心として屑米ａを落下させる開口部１８が形成されている。そして、前記シャッター１７を逆Ｖ字状に屈曲することによって、図５（ａ）に示すように、一方の排出流路１６ｂとシャッター１７の開口部１８とを連通させた際、シャッター１７の重心が図示右側に傾いて矢印Ａで示す右方向への付勢力が付与され、逆に図５（ｂ）に示すように、他方の排出流路１６ａとシャッター１７の開口部１８とを連通させた際、シャッター１７の重心が図示左側に傾くことから、シャッター１７には左側に傾いて矢印Ｂで示す左側に向かう付勢力が付与され、それぞれの排出流路１６ａ又は１６ｂとシャッター１７の開口部１８とが連通した状態でシャッター１７の両端側に形成する位置決め突起部１９によってシャッター１７が位置決め保持される。
【００２１】
２０は前記各分岐１５ａ，１５ｂの先端側に取り付けた長さ調整可能な調節排出部材たる調節排出管であり、本実施例では、可撓性を有する透明ビニールで成形され、調節排出管２０内を通過する屑米ａが外部から確認できる。この調節排出管２０を穀物袋４０ａ、４０ｂに挿入し、選別機１から排出される屑米ａを何れか一方の各分岐１５ａ，１５ｂから穀物袋４０ａ又は４０ｂに充填する。なお、調節排出管２０は可撓性を有する透明ビニール素材であるから、調節排出管２０の先端を折り返すことによって調節排出管２０の長さを調整することが可能である。
【００２２】
また、前記シャッター１７の下部は、前記排出流路１６ａ，１６ｂが相互に連通するオーバーフロー流路２５が形成され、このオーバーフロー流路２５は、通常時、すなわち、屑米ａが何ら障害なく流れている間は、シャッター１７の開口部１８からオーバーフロー流路２５を経由して排出流路１６ａ又は１６ｂを通って穀物袋４０ａ、４０ｂのいずれかに屑米ａが充積される。
【００２３】
以上のように構成される切換装置１の作用について説明する。まず、シャッター１７を操作して例えば図４に示すように、一方の排出流路１６ｂとシャッター１７の開口部１８とを連通させた状態で選別機１から屑米ａが供給されると、屑米ａはシャッター１７の開口部１８から排出流路１６ｂ、調節排出管２０から穀物袋４０ｂに充積される。ここで穀物袋４０ｂが満杯となると、調節排出管２０内において屑米ａが詰まって排出流路１６ｂまで溢れ、さらに、排出流路１６ｂから溢れた屑米ａがオーバーフロー流路２５に達すると、後続の屑米ａはオーバーフロー流路２５から他方の排出流路１６ａへと搬送方向が切り換わる。これにより、他方の穀物袋４０ａに屑米ａが自動的に充填され、一方の穀物袋４０ｂに充填した屑米ａが満杯となった段階でシャッター１７によって他方の排出流路１６ｂへと搬出方向を切り換えなくとも、自動的に他方の穀物袋４０ｂへと屑米ａを充填することができる。また、一方の穀物袋４０ｂに充填した屑米ａが満杯となった際、溢れた屑米ａがシャッター１７の下部に形成したオーバーフロー流路２５を通って他方の穀物袋４０ａへと流れるため、シャッター１７によって屑米ａの搬送方向を切り換える際、溢れた屑米ａがシャッター１７上に載り上がらない構造であるため、シャッター１７を軽い力で操作でき、シャッター１７の切り換え操作も容易である。また、シャッター１７の下部にオーバーフロー流路２５を形成するだけで一方の穀物袋４０ａに充填した屑米ａが満杯となった際の屑米ａの搬送方向の切り換えが可能となるから、組付部品点数も削減することができ、組付作業性にも優れる。
【００２４】
また、穀物袋４０ａ又は４０ｂに充填される屑米ａの流れは透明な調節排出管２０で確認できるから、一方の穀物袋４０ａに屑米ａが満杯になったことが簡単に確認することができ、シャッター１７を切り換えるタイミングも容易に把握でき、穀物袋４の袋詰め作業も軽減される。また、仮に屑米ａの搬送路の切り換えるタイミングが遅れても、オーバーフロー流路２５から溢れた屑米ａが他方の穀物袋４０ａに充填されるため、選別機１側に逆流するなどのトラブルを防止できる。さらに、穀物袋４０ａ、４０ｂに充填した屑米ａがオーバーフロー流路２５まで充満する量は、調節排出管２０の長さを一定にすれば一定量となるから、調節排出管２０を折り返して調節排出管２０の長さ調整すれば穀物袋４０ａ、４０ｂに充填する屑米ａの量を調整することができ、屑米ａの一定計量も可能である。
【００２５】
また、シャッター１７を緩やかに逆Ｖ字状に屈曲することで、図５（ａ）及び（ｂ）で示すように、シャッター１７をスライドさせて、シャッター１７の開口部１８と排出流路１６ａ又は排出流路１６ｂとを連通させた際、シャッター１７の重心が左側又は右側に傾いて左右方向（矢印Ａ，Ｂ方向）へ向かう付勢力が作用するため、シャッター１７の開口部１８と排出流路１６ａ又は排出流路１６ｂとを連通させた位置に保持できる。すなわち、選別機１はモータを回転させて割れ米や小粒米を取り除いて粒を揃えるように選別することから選別機１の作動時に振動し、その振動が切換装置１０に伝わってシャッター１７が変動して開口部１８と排出流路１６ａ又は排出流路１６ｂとがずれてしまいやすい。このため、シャッター１７が振動などによって変動しないように、スプリングなどで引っ張るなどの対策が必要となるが、単にシャッター１７を緩やかに逆Ｖ字状に屈曲させるだけでシャッター１７の変動を防止することができるため、より構造を簡略化できる。
【実施例２】
【００２６】
図６及び図５は本発明の実施例２を示し、前記実施例１と同一機能を有する部分には、同一符号を付し、共通する部分の説明を省略し、異なる部分についてのみ説明する。本実施例では切換装置１０に屑米ａを案内する左右一対の傾斜案内板５１を設け、この傾斜案内板５１の下部に回動自在に軸支されたシャッター５２を配置している。このシャッター５２を軸支する軸５３は切換装置１０の外部に突出し、その先端部にシャッター５２を操作するレバー５４を固定している。また、シャッター５２の下部には、分岐管５５ａ，５５ｂの排出流路５６ａ，５６ｂと、その排出流路５６ａ，５６ｂが相互に連通するオーバーフロー流路５７が形成されている。
【００２７】
また、分岐管５５ａ，５５ａには可撓性を有する透明ビニールなどによって形成した調節排出部材たる調節排出カバー６０が取り付けられている。この調節排出調節排出カバー６０にはボタン６１が、各分岐管５５ａ，５５ｂにはそれぞれホック６２が設けられ、調節排出カバー６０のボタン６１を嵌め合わせるホック６２の位置をかえることによって調節排出カバー６０の長さ調整が可能である。
【００２８】
以上のように構成される本実施例では、レバー５４を操作してシャッター５２を回転して、例えば、図６に示すよう、一方の排出流路５５ｂを開放し、他方の排出流路５５ａを閉塞すると、屑米ａが開放した排出流路５５ｂから調節排出カバー６０を経て穀物袋４０ｂに充填される。この穀物袋４０ｂが満杯となると排出流路５５ｂ内で溢れた屑米ａがオーバーフロー流路５７から他方の排出流路５５ａへと流れ、他方の穀物袋４０ａに屑米ａが自動的に充填される。これにより前記実施例１と同様、一方の穀物袋４０ｂに充填した屑米ａが満杯となった段階でレバー５４を操作してシャッター５２によって他方の排出流路５５ａへと搬出方向を切り換えなくとも、自動的に他方の穀物袋４０ａへと屑米ａを充填することができる。
【００２９】
以上、本実施例を具体的に説明したが、本発明は前記実施の形態に限定されるものではなく、本発明の要旨の範囲内で種々変更可能である。
【００３０】
例えば、前記の実施例では、選別機で選別した屑米を袋詰めする際に用いた切換装置に適用した例を示したが、適用対象機器は選別機用に限るものではなく、糠取機や精米機などに適用可能であるとともに、搬送する対象も屑米に限らず麦、とうもろこし、あるいは、粒状や粉状、顆粒状の薬剤や食品等を搬送、充積させる装置にも適用できる。また、切換装置の形状やシャッターの切り換え構造あるいは調節排出部材の長さを調整する手段といった基本的構造は適宜選定すればよい。
【図面の簡単な説明】
【００３１】
【図１】本発明の実施例１を示す全体斜視図である。
【図２】同上、切換装置の断面図である。
【図３】同上、切換装置の正面図である。
【図４】同上、屑米の袋詰め状態を示す断面図である。
【図５】同上、シャッターの切り換え状態を示す説明図であり、図５（ａ）は右方向に搬送方向を切り換えた状態、図５（ｂ）は左方向に搬送方向を切り換えた状態を示している。
【図６】本発明の実施例２を示す切換装置の斜視図である。
【図７】同上、切換装置の断面図である。
【符号の説明】
【００３２】
１  選別機
２  排出口
１０  切換装
１１  収容体
１２  流入路
１５ａ，１５ｂ，５５ａ，５５ｂ  分岐管
１６ａ，１６ｂ，５６ａ，５６ｂ  排出流路
１７，５２  シャッター（流路切換手段）
１８  開口部
２０  調節排出管（調節排出部材）
２５，５７  オーバーフロー流路
４０ａ、４０ｂ  穀物袋
６０  調節排出カバー（調節排出部材）
ａ  屑米
【図１】
2010088400.tif 000003
【図２】
2010088400.tif 000004
【図３】
2010088400.tif 000005
【図４】
2010088400.tif 000006
【図５】
2010088400.tif 000007
【図６】
2010088400.tif 000008
【図７】
2010088400.tif 000009